【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
動画データを配信する動画配信サーバにネットワークを介して接続された端末装置と、動画に対するコメントを配信するコメント配信サーバとを有するコメント配信システムであって、
前記コメント配信サーバは、
コメントが付与された時点における、動画の再生開始時点を基準とした動画再生時間をコメント付与時間として前記コメントに対応づけてコメント情報として記憶する第１のコメント情報記憶部と、
前記第１のコメント情報記憶部に記憶されたコメント情報を読み出して、前記端末装置に配信するコメント情報配信部と、を有し、
前記端末装置は、
前記動画配信サーバから配信される動画データを受信して再生する動画再生部と、
前記再生する動画に対して入力されたコメント情報を前記コメント配信サーバから受信するコメント情報受信部と、
前記コメント情報受信部が受信したコメント情報を記憶する第２のコメント情報記憶部と、
前記動画再生部によって再生される動画を表示するとともに、前記第２のコメント情報記憶部に記憶されたコメント情報のうち、再生する動画の動画再生時間に対応するコメント付与時間が対応づけられたコメントをコメント情報から読み出し、読み出したコメントを動画とともに表示する第１の表示部と、
前記第１の表示部によって表示された動画に対するコメントの入力を受け付けるとともに、コメントが入力された時点の動画再生時間をコメント付与時間としてコメントとともにコメント情報として前記コメント配信サーバに送信する送信部と、を有し、
前記第１の表示部は、前記動画の再生中に前記コメント情報受信部がコメント情報を受信すると、前記動画の再生済みの動画再生時間に対するコメント付与時間を含むコメント情報については前記第２のコメント情報記憶部に記憶したままにしておき、これから再生する動画再生時間に対するコメント付与時間を含むコメント情報については前記動画再生時間に対応するコメント付与時間が対応づけられたコメントをコメント情報から読み出し、読み出したコメントを動画とともに表示し、前記動画が巻き戻しされた場合には、前記コメント情報受信部が前記動画の再生中に受信したコメント情報であって前記第２のコメント情報記憶部に記憶したままのコメント情報のうち、前記動画再生時間に対応するコメント付与時間が対応付けられたコメントを読み出して表示する
ことを特徴するコメント配信システム。
【請求項２】
前記第１の表示部は、前記動画が巻き戻しされた場合には、前記動画の再生済みの動画再生時間に対応するコメント付与時間が対応づけられたコメントをコメント情報から読み出して動画とともに表示することに加えて、前記コメント情報受信部が前記動画の再生中に受信したコメント情報であって前記第２のコメント情報記憶部に記憶したコメント情報のうち、前記動画再生時間に対応するコメント付与時間が対応付けられたコメントを読み出して表示する
ことを特徴する請求項１記載のコメント配信システム。
【請求項３】
前記端末装置は、
前記第２のコメント情報記憶部に記憶されたコメント情報のリストを表示する第２の表示部と、
前記第２の表示部によって表示されたコメント情報のリストのうち、コメント情報の選択の入力を受け付ける選択部と、
前記選択部によって選択の入力が受け付けされたコメント情報を前記第２のコメント情報記憶部から読み出し、読み出したコメント情報のコメント付与時間に対応する動画再生時間から、前記動画を再生させるとともに、読み出したコメント情報を前記第１の表示部によって表示させる再生制御部と、
を有することを特徴とする請求項１または請求項２記載のコメント配信システム。
【請求項４】
前記第１のコメント情報記憶部は、コメント情報に、当該コメントが入力された時刻を示す実時間情報をさらに含んで記憶しており、
前記第２の表示部は、前記コメント情報を前記実時間情報の順に従って表示する
ことを特徴とする請求項１から請求項３のうちいずれかに記載のコメント配信システム。
【請求項５】
前記第１の表示部は、前記コメント情報に含まれる実時間情報に基づき、コメントの新旧を判断し、実時間において古い時点で入力されたコメントを表示した一定時間後に表示させないことを特徴とする請求項４に記載のコメント配信システム。
【請求項６】
前記送信部は、前記コメントの入力を受け付ける際に、当該コメントの表示のさせ方を指定する情報とともに入力を受け付けして前記コメント配信サーバに送信し、
前記第１の表示部は、前記コメント配信サーバから受信したコメント情報に含まれるコメントの表示のさせ方を指定する情報に従って当該コメントを表示する
ことを特徴とする請求項１から請求項５のうちいずれかに記載のコメント配信システム。
【請求項７】
前記第１の表示部は、前記動画が再生される画面サイズよりも大きいサイズに設定された表示領域内にコメントを当該動画の画面の外側でトリミングするように表示する
ことを特徴とする請求項１から請求項６のうちいずれかに記載のコメント配信システム。
【請求項８】
前記第１の表示部は、前記コメントが画面上に表示されてから消されるまでの時間が予め設定されており、前記コメントに含まれる文字数に関わらず、この設定された時間の間、前記コメントを表示する
ことを特徴とする請求項１から請求項７のうちいずれかに記載のコメント配信システム。
【請求項９】
前記第１の表示部は、前記コメントを画面の一端側から他端側に向かって移動させつつ表示する
ことを特徴とする請求項１から請求項８のうちいずれかに記載のコメント配信システム。
【請求項１０】
前記第１の表示部は、前記コメントを画面の右側から左側に向かって移動させつつ表示する
ことを特徴とする請求項１から請求項９のうちいずれかに記載のコメント配信システム。
【請求項１１】
前記第１のコメント情報記憶部は、前記コメント情報について、スレッドを識別するスレッドＩＤを含んで記憶しており、
前記コメント情報配信部は、前記端末装置から受信したコメント情報について、当該受信したコメント情報に含まれるスレッドＩＤのコメントを閲覧している端末装置を特定し、その特定した端末装置のそれぞれに、コメント情報を送信する
ことを特徴とする請求項１から請求項１０のうちいずれかに記載のコメント配信システム。
【請求項１２】
動画データを配信する動画配信サーバと、動画に対するコメントを配信するコメント配信サーバとにネットワークを介して接続された端末装置であって、
前記動画配信サーバから配信される動画データを受信して再生する動画再生部と、
前記再生する動画に対して入力されたコメント情報であって、コメントが付与された時点における、動画の再生開始時点を基準とした動画再生時間をコメント付与時間として前記コメントに対応づけられたコメント情報を前記コメント配信サーバから受信するコメント情報受信部と、
前記コメント情報受信部が受信したコメント情報を記憶する第２のコメント情報記憶部と、
前記動画再生部によって再生される動画を表示するとともに、前記第２のコメント情報記憶部に記憶されたコメント情報のうち、再生する動画の動画再生時間に対応するコメント付与時間が対応づけられたコメントをコメント情報から読み出し、読み出したコメントを動画とともに表示する第１の表示部と、
前記第１の表示部によって表示された動画に対するコメントの入力を受け付けるとともに、コメントが入力された時点の動画再生時間をコメント付与時間としてコメントとともにコメント情報として前記コメント配信サーバに送信する送信部と、を有し、
前記第１の表示部は、前記動画の再生中に前記コメント情報受信部がコメント情報を受信すると、前記動画の再生済みの動画再生時間に対するコメント付与時間を含むコメント情報については前記第２のコメント情報記憶部に記憶したままにしておき、これから再生する動画再生時間に対するコメント付与時間を含むコメント情報については前記動画再生時間に対応するコメント付与時間が対応づけられたコメントをコメント情報から読み出し、読み出したコメントを動画とともに表示し、前記動画が巻き戻しされた場合には、前記コメント情報受信部が前記動画の再生中に受信したコメント情報であって前記第２のコメント情報記憶部に記憶したままのコメント情報のうち、前記動画再生時間に対応するコメント付与時間が対応付けられたコメントを読み出して表示する
ことを特徴する端末装置。
【請求項１３】
動画データを配信する動画配信サーバにネットワークを介して接続された端末装置と、動画に対するコメントを配信するコメント配信サーバとを有するコメント配信システムにおける、コメント配信方法であって、
前記コメント配信サーバは、
コメント情報配信部が、コメントが付与された時点における、動画の再生開始時点を基準とした動画再生時間をコメント付与時間として前記コメントに対応づけてコメント情報として記憶する第１のコメント情報記憶部に記憶されたコメント情報を読み出し、前記端末装置に配信し、
前記端末装置は、
動画再生部が、前記動画配信サーバから配信される動画データを受信して再生し、
コメント情報受信部が、前記再生する動画に対して入力されたコメント情報を前記コメント配信サーバから受信し、
第１の表示部が、前記動画再生部によって再生される動画を表示するとともに、前記コメント情報受信部が受信したコメント情報を記憶する第２のコメント情報記憶部に記憶されたコメント情報のうち、再生する動画の動画再生時間に対応するコメント付与時間が対応づけられたコメントをコメント情報から読み出し、読み出したコメントを動画とともに表示し、
送信部が、前記第１の表示部によって表示された動画に対するコメントの入力を受け付けるとともに、コメントが入力された時点の動画再生時間をコメント付与時間としてコメントとともにコメント情報として前記コメント配信サーバに送信し、
前記第１の表示部が、前記動画の再生中に前記コメント情報受信部がコメント情報を受信すると、前記動画の再生済みの動画再生時間に対するコメント付与時間を含むコメント情報については前記第２のコメント情報記憶部に記憶したままにしておき、これから再生する動画再生時間に対するコメント付与時間を含むコメント情報については前記動画再生時間に対応するコメント付与時間が対応づけられたコメントをコメント情報から読み出し、読み出したコメントを動画とともに表示し、前記動画が巻き戻しされた場合には、前記コメント情報受信部が前記動画の再生中に受信したコメント情報であって前記第２のコメント情報記憶部に記憶したままのコメント情報のうち、前記動画再生時間に対応するコメント付与時間が対応付けられたコメントを読み出して表示する
ことを特徴するコメント配信方法。
【請求項１４】
動画データを配信する動画配信サーバと、動画に対するコメントを配信するコメント配信サーバとにネットワークを介して接続された端末装置のコンピュータを、
前記動画配信サーバから配信される動画データを受信して再生する動画再生手段、
前記再生する動画に対して入力されたコメント情報であって、コメントが付与された時点における、動画の再生開始時点を基準とした動画再生時間をコメント付与時間として前記コメントに対応づけられたコメント情報を前記コメント配信サーバから受信するコメント情報受信手段、
前記コメント情報受信手段が受信したコメント情報を第２のコメント情報記憶手段に記憶させる手段、
前記動画再生手段によって再生される動画を表示するとともに、前記第２のコメント情報記憶手段に記憶されたコメント情報のうち、再生する動画の動画再生時間に対応するコメント付与時間が対応づけられたコメントをコメント情報から読み出し、読み出したコメントを動画とともに表示する第１の表示手段、
前記第１の表示手段によって表示された動画に対するコメントの入力を受け付けるとともに、コメントが入力された時点の動画再生時間をコメント付与時間としてコメントとともに前記コメント配信サーバに送信する送信手段、として機能させるとともに、さらに、
前記第１の表示部を、前記動画の再生中に前記コメント情報受信部がコメント情報を受信すると、前記動画の再生済みの動画再生時間に対するコメント付与時間を含むコメント情報については前記第２のコメント情報記憶部に記憶したままにしておき、これから再生する動画再生時間に対するコメント付与時間を含むコメント情報については前記動画再生時間に対応するコメント付与時間が対応づけられたコメントをコメント情報から読み出し、読み出したコメントを動画とともに表示し、前記動画が巻き戻しされた場合には、前記コメント情報受信部が前記動画の再生中に受信したコメント情報であって前記第２のコメント情報記憶部に記憶したままのコメント情報のうち、前記動画再生時間に対応するコメント付与時間が対応付けられたコメントを読み出して表示する手段
として機能させるためのプログラム。